(57)【要約】【課題】  使用後の取り外しが支障なく行える吸収性物品を提供すること。【解決手段】  本発明の吸収性物品は、液透過性の表面シート、液不透過性且つ通気性の防漏シート、及び両シート間に介在された液保持性の吸収体を備え、幅方向の外方に延出するフラップ部が形成され、その非肌当接面側にズレ止め用の粘着剤が配設されている。前記フラップ部が、前記表面シート及び前記防漏シートとは別体の液不透過性のシートが前記吸収体の両側部を覆う縁部から幅方向の外方に延出されて形成されており、前記液不透過性のシートが前記表面シートの両側部上面領域に接合され、且つ該液不透過性のシートに前記粘着剤が配設されている。【選択図】    図３
2005305181.tif 000002
【特許請求の範囲】
【請求項１】
液透過性の表面シート、液不透過性且つ通気性の防漏シート、及び両シート間に介在された液保持性の吸収体を備え、幅方向の外方に延出するフラップ部が形成され、その非肌当接面側にズレ止め用の粘着剤が配設された吸収性物品において、
前記フラップ部が、前記表面シート及び前記防漏シートとは別体の液不透過性のシートが前記吸収体の両側部を覆う縁部から幅方向の外方に延出されて形成されており、
前記液不透過性のシートが前記表面シートの両側部上面領域に接合され、且つ該液不透過性のシートに前記粘着剤が配設されていることを特徴とする吸収性物品。
【請求項２】
前記表面シートの略中央部に、前記表面シートと前記吸収体とを接合する環状の溝がエンボス加工により形成されている請求項１記載の吸収性物品。
【請求項３】
前記表面シートの両側部に、前記液不透過性のシート、前記表面シート及び前記吸収体を接合する溝がエンボス加工により形成されている請求項１又は２記載の吸収性物品。
【請求項４】
前記液不透過性のシートが、前記防漏シートに用いられるシートからなる請求項１〜３の何れかに記載の吸収性物品。
【請求項５】
前記液不透過性のシートの引き裂き強度がＣＤ方向１６０ｃＮ以上で且つＭＤ方向８０ｃＮ以上である請求項１〜４の何れかに記載の吸収性物品。
【発明の詳細な説明】
【技術分野】
【０００１】
本発明は、生理用ナプキン、パンティライナー、失禁パッド等の吸収性物品に関する。
【背景技術】
【０００２】
吸収性物品の防漏シートを透湿化し、着用中の濡れ感、ムレ感を軽減すると共に皮膚の含水膨潤を抑制して皮膚トラブルの発症を抑える技術に関する従来技術としては、例えば、特表平１０−５０８５２１号公報に開示された技術が知られている。この技術は、フラップ部を有する生理用ナプキンを、そのフラップ部を含めて多孔性で通気性を有する防漏シートで構成したものである。
しかしながら、フラップ部を有する生理用ナプキンは、使用時に着用ショーツの股間部分の外面へフラップ部を折り返してずれ止め用の粘着剤で固定することで使用するが、斯かる技術の生理用ナプキンは、多孔性で引裂き強度が十分に得られない防漏シートをフラップ部に使用しているため、使用後に着用ショーツから生理用ナプキンを取り外す際に、フラップ部が破断したり、フラップ部の一部がズレ止め用の粘着剤と共に着用ショーツの表面に残ってしまう等、使用後の取り外しに支障を来たす場合があった。着用者によっては、フラップ部を折り返して固定したままの状態で取り外すことがあり、この場合特に上記の如き支障が起こりやすくなっていた。
【０００３】
【特許文献１】特表平１０−５０８５２１号公報
【発明の開示】
【発明が解決しようとする課題】
【０００４】
従って、本発明は、使用後の取り外しが支障なく行える吸収性物品を提供することを目的とする。
【課題を解決するための手段】
【０００５】
本発明は、液透過性の表面シート、液不透過性且つ通気性の防漏シート、及び両シート間に介在された液保持性の吸収体を備え、幅方向の外方に延出するフラップ部が形成され、その非肌当接面側にズレ止め用の粘着剤が配設された吸収性物品であって、少なくとも、前記フラップ部における前記粘着剤が配設されている部分に前記防漏シートがないことを特徴とする吸収性物品を提供することにより上記目的を達成したものである。
【発明の効果】
【０００６】
本発明によれば、使用後の取り外しが支障なく行える吸収性物品が提供される。
【発明を実施するための最良の形態】
【０００７】
以下本発明を、その好ましい実施形態に基づき図面を参照しながら説明する。
図１及び２は、本発明の吸収性物品を生理用ナプキン（以下単にナプキンともいう）に適用した実施形態を示すものであり、符号１はナプキンを示している。
【０００８】
同図に示すように、ナプキン１は、実質的に縦長の形状をしており、液透過性の表面シート２、液不透過性で且つ通気性の防漏シート３、及び両シート間に介在された液保持性の吸収体４を備えている。また、ナプキン１は、その幅方向の外方に延出するフラップ部６が表面シート２及びシート（他のシート）５で形成されており、このフラップ部６における非肌当接面側、すなわち、シート５にズレ止め用の粘着剤７が配設されている。つまり、ナプキン１は、フラップ部６における粘着剤７が配設されている部分には防漏シート３がないものである。
【０００９】
図２に示すように、ナプキン１は、防漏シート３上に吸収体４が配設され、吸収体４の肌当接面側（図において上側）に、フラップ部６を形成するシート５、及びシート５とともにフラップ部６を形成し吸収体４の肌当接面側を覆う表面シート２が配設されている。本実施形態では、シート５は、吸収体４の長手方向の左右両側部４ａを覆うように配設されている。
【００１０】
防漏シート３は、平面視して縦長の略矩形の外形形状を有しており、吸収体４よりも大きい外形寸法である。表面シート２は、装着時に着用者の肌に当接される肌当接面を形成するものであり、その外形形状はフラップ部６を形成する部分を除いては、防漏シート３と略同形状である。シート５は、吸収体４の肌当接面側の側部４ｂ及び吸収体４の側部４ａを覆う部分と、フラップ部６を形成する部分とを有しており、その外形形状は、外側は上記表面シート２と同じ輪郭を有し、内側は吸収体４の長手方向に沿う直線輪郭を有している。そして、表面シート２及び防漏シート３が吸収体４を囲繞するようにその周縁部においてヒートシールで接着され、表面シート２及びシート５におけるフラップ部６を形成する部分がその外縁部においてヒートシールで接着されている。この結果、ナプキン１の周縁部は、吸収体４の左右両側部では表面シート２、シート５及び防漏シート３が接着部２３で接着され、フラップ部６では、表面シート２及びシート５が接着部２５で接着され、それ以外の部分、即ちナプキン１の長手方向の両端部（接着部２３を除く）は表面シート２及び防漏シート３が接着部２４で接着されている。
【００１１】
また、防漏シート３の下面にはナプキン１を着用者の着衣に固定するための粘着剤８が配設されており、粘着剤８は未使用状態においては剥離シート（図示せず）によって保護されている。本実施形態においては、防漏シート３と吸収体４とは、防漏シート３上にスパイラル状に配設された接着剤９によって部分接着されている。
【００１２】
図１及び図２に示すように、表面シート２の略中央部には、表面シート２と吸収体４とを接合する環状の溝２０がエンボス加工により形成されており、この溝２０により、吸収体４への液の誘導及び装着状態に応じた形状を付与できるようになっている。この環状の溝２０は、吸収体４において吸収した液の周囲への拡散を防止する機能も有している。また、表面シート２の両側部には、表面シート２、シート５及び吸収体４を接合する溝２１、２１がエンボス加工により形成されており、吸収された液が吸収体４内で拡散しても、これらの溝２１，２１により、吸収体４の両側部への液の拡がりが抑制されるようになっている。
【００１３】
シート５は、液不透過性が好ましく、従来の吸収性物品において防漏シートとして使用されている各種のシートを特に制限なく用いることができるが、使用後にナプキンを取り外した際に、フラップ部が破断したり、装着部に粘着剤を残したりしないようにする点から、ＪＩＳ  Ｋ７１２８（Ｂ法）に従い測定された引裂き強度が、ＭＤ方向で８０ｃＮ以上、ＣＤ方向で１６０ｃＮ以上であることが好ましく、ＭＤ方向で１００ｃＮ、ＣＤ方向で２００ｃＮであることがより好ましい。また、同様の観点から、シート５の引張最大強度は、ＭＤ方向で５００ｃＮ以上、ＣＤ方向で４００ｃＮ以上であることが好ましく、ＭＤ方向で６００ｃＮ以上、ＣＤ方向で５００ｃＮ以上であることがより好ましい。引張最大強度は、測定サンプルをＭＤ方向の場合は、ＭＤ方向に１００±１０ｍｍ、ＣＤ方向に１０±１ｍｍで準備し、ＣＤ方向の場合は、ＣＤ方向に１００±１０ｍｍ、ＭＤ方向に１０±１ｍｍで準備し、チャック間距離５０ｍｍ、引張速度３００ｍｍ／ｍｉｎで引張り、その最大点を測定して得られる。ここで、吸収性物品においては、上記ＣＤ方向を当該吸収性物品の幅方向に用いることが好ましい。
このような引裂き強度の高いシート材料としては、例えば、メタロセン触媒により重合して得られたエチレン−αオレフィン共重合体を配合したポリエチレンフィルム等の引裂き強度の高いポリエチレンフィルム、又はポリエチレン（ＰＥ）繊維、ポリプロピレン（ＰＰ）繊維、ポリエステル繊維、ポリエチレン−ポリプロピレン複合繊維、若しくはポリエチレン−ポリエステル複合繊維からなる湿式若しくは乾式不織布にポリエチレンフィルムをラミネート処理したラミネート不織布が挙げられる。
【００１４】
防漏シート３は、通気性、好ましくは水蒸気透過性を有している。これによりナプキン１を装着した場合に着装内の湿度の上昇が防止され、快適な装着感が得られる。
防漏シート３の水蒸気透過性の程度は、着装内の湿度の上昇防止の観点から、ＪＩＳ  Ｚ０２０８に従い測定された透湿度（以下、透湿度というときはこの方法により測定されたものをいう）が、好ましくは０．７ｇ／(100cm2・24hr）以上、より好ましくは１．０〜５．０ｇ／(100cm2・24hr）、特に好ましくは１．５〜３．０ｇ／(100cm2・24hr）である。
【００１５】
本実施形態における防漏シート３は、液不透過性で且つ通気性、好ましくは水蒸気透過性を有する疎水性のフィルムからなる。斯かるフィルムの好ましい例としては、疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。
また、防漏シート３としては、吸収性物品に従来用いられている、液不透過性で且つ通気性、好ましくは水蒸気透過性を有する各種のシートを用いることができ、例えば、ポリエチレン、ポリエステル、ポリプロピレンや、ポリエチレン−ポリプロピレン複合繊維、ポリエチレン−ポリエステル複合繊維等からなる撥水性の不織布、非相溶性の熱可塑性樹脂同士、具体的にはポリエチレン、ポリエステル、ポリプロピレン、ナイロン、アクリル等から任意に組み合わされた分割型複合繊維からなる撥水性不織布、スパンボンド不織布、メルトブローン不織布からなる撥水性の多層複合不織布、又は上記のシートと該撥水性不織布との複合シート、又は上記シートとポリエチレン、ポリエステル、ポリプロピレンや、ポリエチレン−ポリプロピレン複合繊維、ポリエチレン−ポリエステル複合繊維等からなる親水性不織布との複合シート等が挙げられる。
【００１６】
吸収体４の肌当接面側に存する、シート５，５が存在しない部分の幅、即ち、シート５，５の肌当接面側に位置された縁部５ａ，５ａ同士間の幅Ｗ１（図２参照）は、ナプキン１における液を吸収する液吸収面を確保する観点から、２０〜８０ｍｍであることが好ましく、特に３０〜８０ｍｍであることが好ましい。
【００１７】
前記表面シート２、吸収体４、粘着剤７，８、接着剤９には、吸収性物品に従来用いられているものを特に制限なく用いることができる。
【００１８】
本実施形態のナプキン１は、フラップ部を備えた従来の生理用ナプキンと同様に、先ず防漏シート３を粘着剤８でショーツ等の着衣に固定し、次に着衣を包み込むようにフラップ部６を折り曲げてフラップ部６を粘着剤７で着衣に固定して用いることができる。この際、液不透過性のシート５が吸収体４の両側部及び両側部上面で接合されているので、フラップ部６をショーツに巻き込んだ際に、吸収体４の両側部はショーツクロッチの両サイドに確実に広く固定される。すなわち、装着中に吸収体４の両側部がショーツの内側に入り込むことなく、装着中においてもより幅広い吸収面を確保することができる。このため、従来の吸収体の下方からフラップ部が延出するものに比べ、より一層高い防漏効果が発現できる。
【００１９】
本実施形態のナプキン１は、フラップ部６の非肌当接面が所定の引裂き強度を有するシート５で形成され、該シート５に粘着剤７が配設されているので、従来のように、取り外しの際にフラップ部６が破断したり、フラップ部６に配設された粘着剤７が着衣に残ったりすることがなく、ナプキン１の使用後の取り外しを支障なく行える。また、高価な防漏シート３を必要な箇所にのみ配設すれば済むため安価に製造することができる。さらに、液不透過性のシート５が吸収体４の両側部を覆うように配設されているため、吸収体４が多量の液を吸収した場合においても、吸収体４に保持された液が、ナプキン１の側部から漏れることがない。
【００２０】
また、ナプキン１は、防漏シート３が通気性を有しているため、吸収体４に吸収された液から発生する水蒸気が、吸収性物品の外に排出され、着装内の湿度の上昇が防止される。これにより、濡れ感、ムレ感を無くすことができ、快適な装着感が得られることはいうまでもない。
【００２１】
本発明の吸収性物品は、少なくとも、フラップ部における粘着剤の配設された部分に防漏シートがないものであり、例えば、図３〜５に示すような他の実施形態の生理用ナプキン１'を含むものである。これらの図に示すナプキン１'の基本的な構成は、上述したナプキン１におけるものと同様であり、以下の説明では、ナプキン１とは異なる部分について特に説明し、ナプキン１と同様の部分については、同一の符号を付してその詳細な説明は省略する。従って、特に説明しない部分については、ナプキン１に関して上記した説明が適宜適用される。
【００２２】
図３に示す、ナプキン１'は、表面シート２'が防漏シート３と同様の外形を有しており、また、シート５が表面シート２'の外側に配設され、さらに、フラップ部６'が当該シート５のみで形成されている以外は、上記ナプキン１と同様の構成である。そして、このような構成を有している結果、ナプキン１'の周縁部は、吸収体４の左右両側縁部ではシート５、表面シート２'及び防漏シート３が接着部２３'で接着され、それ以外の部分、即ちナプキン１の長手方向の両端部（接着部２３'を除く）は表面シート２'及び防漏シート３が接着部２４で接着されている。また、表面シート２'の両側部には、シート５、表面シート２'及び吸収体４を接合する溝２１'，２１'がエンボス加工により形成されている。本実施形態においては、フラップ部６'は、その肌触りを考慮すると、前記不織布とポリエチレンフィルムをラミネート処理したラミネート不織布で形成することが好ましい。
【００２３】
上記構成のナプキン１'によれば、上述したナプキン１と同様に、従来に比べて使用後の取り外しが支障なく行え、しかもナプキン１よりも更に安価に製造することができる。また、液不透過性のシート５が吸収体４の両側部を覆うように配設されているため、吸収体４が多量の液を吸収した場合においても、吸収体４に保持された液が、ナプキン１の側部から漏れることがない。さらに、本実施形態のナプキン１'は、ナプキン１と同様に、液不透過性のシート５が吸収体の両側部及び両側部上面で接合されているので、ショーツに装着中において幅広い吸収面を確保することができ、従来の吸収体の下方からフラップ部が延出するものに比べ、より一層高い防漏効果が発現できる。
【００２４】
図４に示すナプキン１'は、表面シート２'を吸収体４の側部４ａを覆いその端部２ａが当該吸収体４の非肌当接面側に至るように配設し、フラップ６'をシート５'のみで形成し、吸収体４の非肌当接面側において表面シート２'、シート５'及び防漏シート３を接着部２３で接着したものである。
本実施形態のナプキン１'においては、その防漏性及び透湿度を向上させる観点から、ナプキン１'の左右両側端間の幅Ｗ２（吸収体４の幅）に対して防漏シート５'，５'が存在しない部分の幅Ｗ３は、２０〜９０％であることが好ましく、３０〜９０％であることがより好ましい。
【００２５】
上記構成のナプキン１'によれば、上述したナプキン１と同様に、従来に比べて使用後の取り外しが支障なく行え、しかも安価に製造することができる。
【００２６】
図５に示すナプキン１'は、粘着剤配設用の窓３０を有する防漏シート３'及びシート５でフラップ部６'を形成し、その周縁部を接着部２５'でヒートシールし、当該窓３０を通じてシート５に粘着剤７を配設したものである。
【００２７】
上記構成のナプキン１'によれば、従来に比べて使用後の取り外しが支障なく行え、しかも安価に製造することができる。また、液不透過性のシート５が吸収体４の両側部を覆うように配設されているため、吸収体４が多量の液を吸収した場合においても、吸収体４に保持された液が、ナプキン１の側部から漏れることがない。
【００２８】
本発明は、上記実施例に限定されるものではなく、本発明の趣旨を逸脱しない範囲において、適宜変更することができる。本発明は、フラップ部のズレ止め用の粘着剤の配設部分に防漏シートのない形態を含むものであり、上記実施形態以外のもの、例えば、フラップ部が吸収性物品の長手方向の前方又は後方部に形成されフラップ部を着衣の中で広げて固定するものも含むものである。そして斯かるものにおいても、上記実施形態と同様の本発明の効果が得られるものである。
【００２９】
本発明は、上記実施形態におけるような生理用ナプキンの他、使い捨ておむつ、失禁パッド、パンティライナー等にも適用することもできる。
【図面の簡単な説明】
【００３０】
【図１】本発明の吸収性物品の一実施形態としての生理用ナプキンを示す一部を破断した斜視図である。
【図２】図１のＡ−Ａ線断面図である。
【図３】本発明の吸収性物品の他の実施形態としての生理用ナプキンを示す断面図（図２に相当する図）である。
【図４】本発明の吸収性物品の他の実施形態としての生理用ナプキンを示す断面図（図２に相当する図）である。
【図５】本発明の吸収性物品の他の実施形態としての生理用ナプキンを示す断面図（図２に相当する図）である。
【符号の説明】
【００３１】
１、１'  生理用ナプキン（吸収性物品）
２  表面シート
３  防漏シート
４  吸収体
５  シート（他のシート）
６  フラップ部
７  粘着剤
【図１】
2005305181.tif 000003
【図２】
2005305181.tif 000004
【図３】
2005305181.tif 000005
【図４】
2005305181.tif 000006
【図５】
2005305181.tif 000007